(57)【特許請求の範囲】
【請求項１】
被収納物を収納する収納体を、上下方向に沿う軸廻りに回転自在に保持する回転機構部を前方に開口する箱体に設けた収納装置であって、
前記回転機構部は、下方及び前方に開口し前後方向に延びるガイド溝が設けられ、かつ該ガイド溝の溝底面から下方に向けて突出する保持部にガイド体が設けられ前記箱体の天面に固定された固定レールと、該固定レールのガイド溝に沿って前後方向に移動自在とされ前記収納体に前記軸を介して連結された可動レールと、を備えており、
前記可動レールには、前記ガイド体を収容する収容溝を区画するように左右の両側壁と底壁と前端壁とが設けられ、かつ前記保持部を受け入れるスリット状開口を形成するように天壁が設けられていることを特徴とする収納装置。
【請求項２】
請求項１において、
前記可動レールは、前記天壁の左右方向一方の端部と左右方向一方の側壁の上端部との間を前記スリット状開口とした構造とされていることを特徴とする収納装置。
【請求項３】
請求項１または２において、
前記保持部は、左右方向に厚さ方向を沿わせ、前記スリット状開口に挿通される挿通片部を備えていることを特徴とする収納装置。
【請求項４】
請求項３において、
前記保持部は、前記固定レールの前記溝底面を構成する天壁に切り起こし状に設けられていることを特徴とする収納装置。
【発明の詳細な説明】
【技術分野】
【０００１】
本発明は、箱体に、被収納物を収納する収納体を回転自在に設けた収納装置に関する。
【背景技術】
【０００２】
従来より、前方に開口する箱体に、上下方向に沿う軸廻りに回転自在に回転収納体を設けた回転収納装置が知られている。このような回転収納装置では、回転収納体を回転させるために、箱体の奥側面と回転収納体との間に比較的に大きなスペースを確保する必要があった。
例えば、下記特許文献１には、棚本体を回転自在に収納する外ケースの天板の下面に、前後方向に沿って延びる断面略逆Ｕ字状の固定レールを取り付け、棚本体の上面に固定レールにスライド自在に支持される上走行体を取り付けた回転収納装置が開示されている。また、この回転収納装置は、固定レールに垂直軸廻りに回転するガイドローラーを設けた構成とし、上走行体を、このガイドローラーに案内される断面略Ｕ字状のガイド側壁を突設した可動レールとした構成としている。
【先行技術文献】
【特許文献】
【０００３】
【特許文献１】特開平１０−５０５５号公報
【発明の概要】
【発明が解決しようとする課題】
【０００４】
しかしながら、上記特許文献１に記載された回転収納装置では、可動レールが前方及び上方に開口した凹溝形状であるので、ガイドローラー等が目立ち易く、また、異物等が可動レール内に入り込み易くなることも考えられ、更なる改善が望まれる。
【０００５】
本発明は、上記実情に鑑みてなされたものであり、箱体の奥行寸法を効率的に小さくすることが可能でありながらも、収納体を回転自在に保持する回転機構部の可動レールへの異物等の侵入を低減し得る収納装置を提供することを目的としている。
【課題を解決するための手段】
【０００６】
上記目的を達成するために、本発明に係る収納装置は、被収納物を収納する収納体を、上下方向に沿う軸廻りに回転自在に保持する回転機構部を前方に開口する箱体に設けた収納装置であって、前記回転機構部は、下方及び前方に開口し前後方向に延びるガイド溝が設けられ、かつ該ガイド溝の溝底面から下方に向けて突出する保持部にガイド体が設けられ前記箱体の天面に固定された固定レールと、該固定レールのガイド溝に沿って前後方向に移動自在とされ前記収納体に前記軸を介して連結された可動レールと、を備えており、前記可動レールには、前記ガイド体を収容する収容溝を区画するように左右の両側壁と底壁と前端壁とが設けられ、かつ前記保持部を受け入れるスリット状開口を形成するように天壁が設けられていることを特徴とする。
【発明の効果】
【０００７】
本発明に係る収納装置は、上述のような構成としたことで、箱体の奥行寸法を効率的に小さくすることが可能でありながらも、収納体を回転自在に保持する回転機構部の可動レールへの異物等の侵入を低減することができる。
【図面の簡単な説明】
【０００８】
【図１】（ａ）、（ｂ）は、本発明の一実施形態に係る収納装置の一例を模式的に示し、（ａ）は、同収納装置が備える回転機構部の可動レールの一例を模式的に示す概略斜視図、（ｂ）は、図４におけるＸ−Ｘ線矢視に対応させた一部を省略した一部破断概略縦断面図である。
【図２】図５におけるＹ−Ｙ線矢視に対応させた一部を省略した一部破断概略横断面図である。
【図３】（ａ）、（ｂ）は、同回転機構部を模式的に示す一部破断概略斜視図である。
【図４】同収納装置を模式的に示す一部省略概略平面図である。
【図５】図４におけるＺ−Ｚ線矢視に対応させた一部を省略した一部破断概略縦断面図である。
【図６】同収納装置を模式的に示す一部省略概略斜視図である。
【発明を実施するための形態】
【０００９】
以下に本発明の実施の形態について、図面に基づいて説明する。
図１〜図６は、本実施形態に係る収納装置の一例を模式的に示す図である。
なお、一部の図では、他図に付している詳細な符号の一部を省略している。
また、以下の実施形態では、設置された収納装置に開口側において対面した状態を基準として、手前側を前方、その逆側を後方とし、また、その状態を基準として、上下方向及び左右方向の方向を説明する。また、収納装置の収納体が図４〜図６に示すように箱体に収納された状態を基準として、同方向を原則的に説明する。
【００１０】
本実施形態に係る収納装置としての回転収納装置１は、図４〜図６に示すように、被収納物を収納する収納体としての回転収納体１０を、上下方向に沿う軸４４廻りに回転自在に保持する回転機構部３０を前方に開口する箱体２に設けた構成とされている。本実施形態では、回転収納体１０の上側に設けられた回転機構部としての上側回転機構部３０に加え、回転収納体１０の下側に、回転収納体１０を上下方向に沿う軸２４廻りに回転自在に保持する下側回転機構部２０を設けた構成としている。
この回転収納装置１は、玄関土間や玄関フロアー等に好適に設置され、靴等を収納する玄関収納装置としてもよい。
【００１１】
箱体２は、前方に開口した正面視略矩形状の箱状とされている。この箱体２は、天面部３と底面部４と背面部５と左右一対の側面部６，６とを備え、これらによって回転収納体１０の収納空間を区画形成している。この収納空間は、前後寸法（収納奥行寸法）よりも左右寸法（収納間口寸法）が大きく形成されている。
なお、これら各面部３，４，５，６，６は、板材からなるものとしてもよく、また、箱体２は、木質系材料や金属系材料、合成樹脂系材料等から形成されたものとしてもよい。
また、箱体２の前方開口を開閉する扉を設けてもよい。また、回転収納体１０の収納空間の上側や下側等に更に他の収納空間を設けた態様としてもよい。この場合は、横仕切板等によって上下の収納空間を区画するようにしてもよい。
【００１２】
回転収納体１０は、本実施形態では、軸２４，４４廻りに少なくとも１８０°回転自在に箱体２に設けられており、正面視略矩形枠状の枠体１１と、複数の棚板１７と、を備えている。この回転収納体１０は、枠体１１内に棚板１７を配置することで、上下に複数段の収納部を区画する構成とされている。
枠体１１は、上枠部１２と下枠部１３と左右一対の縦枠部１４，１４とを備えている。
この枠体１１は、図４及び図５に示すように、回転収納体１０が箱体２に収納された状態で、箱体２内の前後方向略中央部に配置される。
なお、この枠体１１は、例えば、金属系材料等の剛性材料から形成されたものとしてもよい。
【００１３】
上枠部１２及び下枠部１３は、それぞれ左右方向に沿って長尺とされている。
左右の縦枠部（両側の縦枠部）１４，１４は、それぞれ上下方向に沿って長尺とされている。
これら上枠部１２、下枠部１３及び両側の縦枠部１４，１４は、長手方向に見て（横断面視して）略矩形状とされており、例えば、筒状材から形成されたものとしてもよい。
上枠部１２と下枠部１３とは、互いに略平行に配置され、両側の縦枠部１４，１４は、互いに略平行に並んで配置されている。
また、両側の縦枠部１４，１４の上端部に、上枠部１２の長手方向両端部が固定され、両側の縦枠部１４，１４の下端部に、下枠部１３の長手方向両端部が固定されている。
なお、これら上枠部１２、下枠部１３及び両側の縦枠部１４，１４からなる枠体１１は、一体的に形成されたものとしてもよく、各枠部１２，１３，１４，１４の端部を適宜、ねじ等の止具や溶接等によって連結して形成されたものとしてもよい。
【００１４】
また、一方の縦枠部１４の長手方向（上下方向）の途中部位には、回転収納体１０のスライド及び回転動作の操作用の操作部１６が設けられている。
この操作部１６は、図６に示すように、側面視して略矩形枠状に形成されている。この操作部１６は、その前後寸法が縦枠部１４の前後寸法よりも大きく形成されている。また、操作部１６は、縦枠部１４よりも前後方向の一方（前方）に突出した第１把持部と縦枠部１４よりも前後方向の他方（後方）に突出した第２把持部とが形成されるように、前後方向の略中央で縦枠部１４に固定されている。なお、この操作部１６は、ねじ等の止具や溶接等によって縦枠部１４に固定するようにしてもよい。
【００１５】
また、これら両側の縦枠部１４，１４間に、架け渡すように上下に間隔を空けて複数（図例では、１２枚）の棚板１７を設けている。
これら棚板１７は、幅方向両側端部が両側の縦枠部１４，１４に適宜の固定具によって固定されたものとしてもよく、または、両側の縦枠部１４，１４に対して着脱可能に取り付けられる構成とされたものとしてもよい。図例では、両側の縦枠部１４，１４の互いに対向する内側面側に、棚板１７の幅方向両側端部をそれぞれに保持する保持具を着脱可能に保持する係合保持部としての差込穴１５を、上下方向に沿って間隔を空けて複数箇所に設けた例を示している。このような構成とすれば、棚板１７の枚数や配設する高さ位置を変更することができる。
【００１６】
また、本実施形態では、図５及び図６に示すように、これら複数の棚板１７を、最下段の棚板１７を除いて、上下交互に異なる側に傾斜するように設けた構成としている。最下段の棚板１７は、物品載置部となるその上面が水平状となるように水平状態で両側の縦枠部１４，１４に保持されている。また、この最下段の棚板１７の上段側の各棚板１７は、上面の水平面に対する傾斜角度（内角）が、例えば、５°〜３０°程度、好ましくは１０°〜２０°程度となるように、上下交互に前傾状態または後傾状態で両側の縦枠部１４，１４に保持されている。このように棚板１７を傾斜させることで、靴等の収納物を効率的に収納することができる。
【００１７】
このように枠体１１に複数の棚板１７を取り付けた状態では、回転収納体１０は、下段側の棚板１７の上面とその上方に位置する上段側の棚板１７の下面との間がそれぞれ被収納物を収納するための収納空間（収納部）となる。また、最上段の棚板１７と上枠部１２との間が被収納物を収納するための収納空間（収納部）となる。
また、回転収納体１０は、前傾状態の棚板１７に対してその前方側から被収納物の出し入れが容易に可能とされている。また、回転収納体１０は、後傾状態の棚板１７の前端とこれの上段側の前傾状態の棚板１７の前端とが比較的に近接し、後傾状態の棚板１７に対してその前方側から被収納物の出し入れがし難い構成とされている。
【００１８】
つまり、回転収納体１０は、後傾状態の棚板１７からは、後記するように回転収納体１０を１８０°反転させて、前傾状態に切り替えることで、その前方側から収納物の出し入れが容易に可能とされている。
上記のような構成とすれば、当該回転収納装置１（回転収納体１０）の収納空間を効率的に利用することができる。なお、このように棚板１７を傾斜させて配置する態様としない場合においても、例えば、収納空間（棚板１７）の前後寸法が比較的に大きいような場合には、回転させることで物品出し入れ性を向上させるようなこともできる。
【００１９】
また、図例では、これら棚板１７を、平板状とされた棚本体部の両側端部に、立ち上がるように設けられた立上壁部をそれぞれに設けた構成としている。このような立上壁部を設けることで、棚板１７に載置された物品の幅方向外方側への落下等を抑制することができる。また、図例では、これら棚板１７の幅方向両側端部の前後両端部に、幅方向に架け渡されるように配設される落下防止バーの長手方向端部が嵌め込まれる受凹部を設けている。このような構成とすれば、図６に示すように、棚板１７の奥行方向の両端側または一端側に、必要に応じて落下防止バーを取り付けることができる。
なお、上記した各棚板１７の配置態様は、一例であり、例えば、全ての棚板１７を、前傾状態、後傾状態及び水平状態のうちのいずれかの状態で上下多段に配置した態様等としてもよい。また、棚板１７は、木質系材料や金属系材料、合成樹脂系材料等から形成されたものとしてもよい。
【００２０】
上記のように棚板１７が設けられた回転収納体１０は、その上下両側に設けられた回転機構部３０，２０を介して箱体２に対して上下方向に沿う軸４４，２４廻りに回転自在に保持されている。
これら上下の回転機構部３０，２０は、図５に示すように、箱体２の天面３ａと回転収納体１０の上部との間と、箱体２の底面４ａと回転収納体１０の下部との間と、の二箇所にそれぞれ設けられている。これら上下の回転機構部３０，２０は、平面視して略重なり合うように設けられており、互いに概ね同様に作動する。また、これら上下の回転機構部３０，２０は、箱体２の収納空間の左右方向（収納間口方向）略中央部に配置されている。
【００２１】
下側回転機構部２０は、図５に示すように、前後方向（奥行方向）に沿って長尺な固定レール２１と、この固定レール２１に沿って前後方向にスライド自在とされ軸２４を介して回転収納体１０に連結された可動レール２３と、を備えている。また、下側回転機構部２０は、可動レール２３に対して軸２４廻りに回転しながら前後方向に移動する回転収納体１０の移動をガイドするガイドアーム２５を備えている（図４も参照）。
固定レール２１及び可動レール２３には、詳細な図示は省略しているが、前後方向に延びるガイド溝とこのガイド溝にガイドされて転動するガイドローラーとがそれぞれに設けられている。
固定レール２１は、後端を箱体２の奥側面５ａに近接または当接させて箱体２の底面４ａに固定されている。また、図例では、固定レール２１の前端が箱体２の前端よりも後方側に控えた位置となるように固定レール２１の前後（長さ）寸法を、箱体２の奥行寸法よりも小さい寸法とした例を示している。
【００２２】
また、固定レール２１の後端部には、ガイドアーム２５の長手方向の一端（後端）の回転中心となる連結軸２２が設けられている。この連結軸２２は、固定レール２１の後端部から上方に向けて突出するように、軸方向を上下方向に沿わせて設けられている。なお、可動レール２３の後端部には、この連結軸２２を受け入れる切欠状凹所が後方に向けて開口するように設けられている。
ガイドアーム２５は、図６に示すように、長手方向の他端（前端）が回転収納体１０に対して連結軸２６廻りに回転自在に連結されている。本実施形態では、回転収納体１０が箱体２に収納された状態における軸２４と前後方向で略一致する位置となるようにガイドアーム２５の前端を回転収納体１０に接続している。
このガイドアーム２５の前端の回転中心となる連結軸２６は、回転収納体１０の下枠部１３における左右方向他方の縦枠部１４（操作部１６が設けられていない側の縦枠部１４）側に、下方に向けて突出するように、軸方向を上下方向に沿わせて設けられている。図例では、下枠部１３の左右方向他方の縦枠部１４側半部の長手方向略中央部位に、連結軸２６を設けた例を示している（図４も参照）。
【００２３】
上記のように長手方向の各端部が固定レール２１及び回転収納体１０に対して回転自在に連結されたガイドアーム２５は、後端側の固定レール２１の連結軸２２廻りに、前端側が左右方向に移動するように概ね９０°の範囲で回転する構成とされている（図４参照）。また、ガイドアーム２５は、可動レール２３が最前方位置において長手方向を前後方向に沿わせて配置され、この状態から左右両側のそれぞれに概ね４５°の範囲内を回転可能な構成とされている。
【００２４】
可動レール２３は、当該可動レール２３の前端側が固定レール２１の前端よりも前方に突出するように、固定レール２１に対して前方側にスライド可能とされている。
この可動レール２３の長手（前後）方向の途中部位には、回転収納体１０の回転中心となる上下方向に軸方向を沿わせた軸としての回転軸２４が設けられている。この回転軸２４は、可動レール２３が最後方位置において箱体２の収納空間の平面視略中心に位置するように設けられている（図４も参照）。図例では、この回転軸２４を、可動レール２３の長手方向の概ね中央に設けた例を示している。
【００２５】
また、回転軸２４は、可動レール２３に対して回転収納体１０が当該回転軸２４廻りに回転自在となるように設けられている。この回転軸２４は、下枠部１３の長手方向の略中央に位置するように設けられている。例えば、回転収納体１０の枠体１１の下枠部１３に対して固定的に回転軸２４を設け、可動レール２３にこの回転軸２４を回転自在に保持する軸受部を設けたような態様としてもよい。または、回転軸２４を、可動レール２３側に固定的に設け、回転収納体１０に対して回転自在としてもよい。
【００２６】
上側回転機構部３０は、下方及び前方に開口し前後方向に延びるガイド溝３２が設けられた固定レール３１と、この固定レール３１のガイド溝３２に沿って前後方向に移動自在とされ軸４４を介して回転収納体１０に連結された可動レール４０と、を備えている。また、上側回転機構部３０は、下側回転機構部２０と同様、可動レール４０に対して軸４４廻りに回転しながら前後方向に移動する回転収納体１０の移動をガイドするガイドアーム３８を備えている。
固定レール３１は、後端を箱体２の奥側面５ａに近接または当接させて箱体２の天面３ａに固定されている。また、図例では、下側回転機構部２０と同様、固定レール３１の前端が箱体２の前端よりも後方側に控えた位置となるように固定レール３１の前後（長さ）寸法を、箱体２の奥行寸法よりも小さい寸法とした例を示している。
【００２７】
この固定レール３１は、図１（ｂ）に示すように、ガイド溝３２の溝底面を構成し、箱体２の天面３ａに固定される天壁３３と、天壁３３の左右両側端部から垂れ下がるように設けられガイド溝３２の左右両側の溝内側面を構成する両側壁３７，３７と、を備えている。また、これら左右の両側壁３７，３７の下端部には、互いに向き合う方向に突出するようにガイド片３７ａ，３７ａが全長に亘ってそれぞれに設けられている（図２も参照）。
また、固定レール３１は、ガイド溝３２の溝底面から下方に向けて突出する保持部３４にガイド体３５を設けた構成とされている。これら保持部３４及びガイド体３５は、固定レール３１の前端側部位に設けられている。
【００２８】
また、本実施形態では、保持部３４を、左右方向（ガイド溝３２の溝幅方向と同方向）に厚さ方向を沿わせた挿通片部３４ａを備えた構成としている。また、本実施形態では、保持部３４を、固定レール３１の溝底面を構成する天壁３３に切り起こし状に設けている。
また、保持部３４は、図１（ｂ）及び図２に示すように、天壁３３から垂れ下がるように設けられた挿通片部３４ａの下端に、ガイド体３５を保持する保持片部３４ｂを一連状に設けた構成とされている。この保持片部３４ｂは、挿通片部３４ａの下端から溝幅方向に沿って突出するように、かつ厚さ方向を上下方向に沿わせるように設けられている。本実施形態では、保持片部３４ｂがガイド溝３２の溝幅方向略中心に位置するように、挿通片部３４ａをガイド溝３２の溝幅方向中心から溝幅方向片方側に寄った部位に設けている。これら挿通片部３４ａ及び保持片部３４ｂは、天壁３３を抜き加工し、適宜、折り曲げて切り起こし状に形成されており、薄板状とされている（図３も参照）。
【００２９】
ガイド体３５は、ガイド溝３２の溝幅方向略中心に位置するように、保持片部３４ｂに保持されている。
本実施形態では、このガイド体３５を、上下方向に沿う軸廻りに回転自在とされたガイドローラー３５としている。このガイドローラー３５は、保持片部３４ｂの下方側に配され、適宜、連結軸等を介して保持片部３４ｂに回転自在に保持されている。
なお、ガイド体３５としては、このようなガイドローラー３５に限られず、ブロック状とされたガイドブロック等としてもよく、その他、種々の態様とされたものの採用が可能である。
【００３０】
また、固定レール３１の後端部には、ガイドアーム３８の長手方向の一端（後端）の回転中心となる連結軸３６が設けられている。この連結軸３６は、固定レール３１の天壁３３の後端部から下方に向けて突出するように、軸方向を上下方向に沿わせて設けられている。この連結軸３６は、図１（ｂ）及び図２に示すように、ガイド溝３２の溝幅方向略中心に位置するように設けられている。
また、この連結軸３６は、上記した下側回転機構部２０の固定レール２１に設けられた連結軸２２と同軸状となるように設けられている（図４参照）。
ガイドアーム３８は、図２に示すように、下側のガイドアーム２５と概ね同様、長手方向の他端（前端）が回転収納体１０に対して連結軸３９廻りに回転自在に連結されている。また、上記同様、回転収納体１０が箱体２に収納された状態における軸４４と前後方向で略一致する位置となるようにガイドアーム３８の前端を回転収納体１０に接続している。
【００３１】
このガイドアーム３８の前端の回転中心となる連結軸３９は、下側のガイドアーム２５の前端の連結軸２６と同軸状となるように設けられている（図４参照）。つまり、ガイドアーム３８の前端の連結軸３９は、回転収納体１０の上枠部１２における左右方向他方の縦枠部１４（操作部１６が設けられていない側の縦枠部１４）側に、上方に向けて突出するように、軸方向を上下方向に沿わせて設けられている。図例では、上枠部１２の左右方向他方の縦枠部１４側半部の長手方向略中央部位に、連結軸３９を設けた例を示している（図４も参照）。
【００３２】
この上側のガイドアーム３８は、下側のガイドアーム２５と同様、後端側の固定レール３１の連結軸３６廻りに、前端側が左右方向に移動するように概ね９０°の範囲で回転する構成とされている（図４参照）。また、ガイドアーム３８は、可動レール４０が最前方位置において長手方向を前後方向に沿わせて配置され、この状態から左右両側のそれぞれに概ね４５°の範囲内を回転可能な構成とされている。
つまり、上下両側の回転機構部３０，２０の各ガイドアーム３８，２５は、平面視して略重なり合うように配置されており、重なり合った状態を略維持してそれぞれ回転する構成とされている。なお、上下の回転機構部３０，２０のいずれか一方のみにガイドアームを設けた態様としてもよい。
【００３３】
可動レール４０には、図１及び図２に示すように、ガイド体としてのガイドローラー３５を収容する収容溝４１が設けられている。この収容溝４１は、前後方向に延びるように設けられている。また、可動レール４０には、この収容溝４１を区画するように左右の両側壁４６，４７と底壁４３と前端壁４５とが設けられ、かつ保持部３４を受け入れるスリット状開口４２を形成するように天壁４８が設けられている。
【００３４】
また、可動レール４０は、下側回転機構部２０と同様、図３に示すように、当該可動レール４０の前端側が固定レール３１の前端よりも前方に突出するように、固定レール３１に対して前方側にスライド可能とされている。
この可動レール４０の長手（前後）方向の途中部位には、回転収納体１０の回転中心となる上下方向に軸方向を沿わせた軸としての回転軸４４が設けられている。この回転軸４４は、下側回転機構部２０の回転軸２４と同軸状となるように設けられている（図４参照）。つまり、回転軸４４は、可動レール４０が最後方位置において箱体２の収納空間の平面視略中心に位置するように設けられている。
【００３５】
この回転軸４４は、上記同様、可動レール４０に対して回転収納体１０が当該回転軸４４廻りに回転自在となるように設けられている。
また、回転軸４４は、可動レール４０の底壁４３の下面から下方に向けて突出するように固定的に設けられている。この回転軸４４は、上枠部１２の長手方向の略中央に位置するように上枠部１２に対して回転自在に連結されており、上枠部１２側には、この回転軸４４を回転自在に保持する軸受部が設けられている。なお、このような態様に代えて、回転軸４４を、上枠部１２側に固定的に設け、可動レール４０に対して回転自在としてもよい。
【００３６】
この可動レール４０の収容溝４１の溝底面を構成する底壁４３は、当該可動レール４０の全長に亘って設けられている。本実施形態では、この底壁４３の下面が固定レール３１の下面よりも上方側となるように、可動レール４０が固定レール３１のガイド溝３２に収容される構成としている。つまり、図１（ｂ）に示すように、当該可動レール４０の回転軸４４を除いた全体が長手方向に見て、固定レール３１のガイド溝３２に収容される構成とされている。
また、この底壁４３の後端部には、図２に示すように、固定レール３１の後端部に設けられた連結軸３６を受け入れる切欠状凹所４３ａが後方に向けて開口するように設けられている。当該可動レール４０が最後方位置とされた状態で、この切欠状凹所４３ａに連結軸３６が納められる構成とされている。
【００３７】
また、この可動レール４０の収容溝４１の左右両側の溝内側面を構成する両側壁４６，４７は、底壁４３の左右方向両端部から立ち上がるように、当該可動レール４０の全長に亘って設けられている。これら両側壁４６，４７の互いに対向する内側面が溝内側面を構成し、これらに固定レール３１のガイドローラー３５が当接されて回転する構成とされている。これら両側壁４６，４７間の寸法、つまりは収容溝４１の溝幅寸法は、ガイドローラー３５の径に応じた寸法とされている。
可動レール４０は、図２に示すように、最後方位置とされた状態で収容溝４１の前端部にガイドローラー３５が位置し、最前方位置とされた状態で収容溝４１の後端部にガイドローラー３５が位置するように適宜の長さ寸法とされている。つまり、可動レール４０が固定レール３１に対して前後方向に移動する際に、収容溝４１内に常時、ガイドローラー３５が位置する構成とされている。
【００３８】
また、本実施形態では、図１（ｂ）に示すように、これら両側壁４６，４７のそれぞれに、固定レール３１の両側のガイド片３７ａ，３７ａに係合ガイドされる被ガイド部としてのローラー４９，４９を設けている。これらローラー４９，４９は、ガイド溝３２の溝幅方向に軸方向を沿わせた軸廻りに回転自在とされており、固定レール３１のガイド片３７ａ，３７ａ上を転動する構成とされている。なお、これらローラー４９，４９は、固定レール３１の天壁３３の下面、つまり、ガイド溝３２の溝底面に当接して転動するものとしてもよい。
また、本実施形態では、図１（ａ）及び図２に示すように、当該可動レール４０の後端部にこれらローラー４９，４９を設けている。これらローラー４９，４９は、図２に示すように、可動レール４０が最後方位置とされた状態で固定レール３１の後端部に位置し、最前方位置とされた状態で固定レール３１の前端部に位置する構成とされている（図３（ｂ）も参照）。つまり、これらローラー４９，４９は、可動レール４０が固定レール３１に対して前後方向に移動する際に、ガイド溝３２内に常時、位置する構成とされている。
【００３９】
上記した固定レール３１の天壁３３からガイド片３７ａ，３７ａまでの上下方向に沿う寸法（ガイド溝３２の溝深さ寸法）は、これらローラー４９，４９の収容が可能な寸法とされている。図例では、固定レール３１の天壁３３からガイド片３７ａ，３７ａまでの上下方向に沿う寸法を、ローラー４９，４９の径に応じた寸法とした例を示している。
また、固定レール３１の両側壁３７，３７間の寸法、つまりはガイド溝３２の溝幅寸法は、可動レール４０の両側のローラー４９，４９の左右方向外方側面が、両側壁３７，３７の互いに対向する内側面に近接対面するような寸法とされている。
また、本実施形態では、両側壁４６，４７のそれぞれに、前後方向に間隔を空けて複数（図例では、２つ）のローラー４９，４９，４９，４９を設けた構成としている。
【００４０】
前端壁４５は、収容溝４１の前端を封止するように設けられており、その四周が底壁４３、両側壁４６，４７及び天壁４８の前端に近接または当接するように設けられている。図例では、この前端壁４５を、底壁４３の前端から立ち上がるように底壁４３に一連状に設けた例を示している。
天壁４８は、本実施形態では、保持部３４の挿通片部３４ａが挿通されるスリット状開口４２を形成するように、収容溝４１の溝天面側を区画するように設けられている。
また、本実施形態では、可動レール４０を、この天壁４８の左右方向一方の端部と左右方向一方の側壁４６の上端部との間をスリット状開口４２とした構造としている。つまり、天壁４８の一方の端部と一方の側壁４６の上端部とが、スリット状開口４２の溝幅方向両側開口縁を構成している。
スリット状開口４２は、前後方向に延びるように、かつ上下に貫通するように設けられており、天壁４８の左右方向一方の端部に沿って、天壁４８の全長に亘って設けられている。このスリット状開口４２の開口幅寸法（収容溝４１の溝幅方向に沿う寸法）は、図１（ｂ）及び図２に示すように、上記した保持部３４の挿通片部３４ａの受け入れが可能なように、挿通片部３４ａの厚さ寸法に応じた寸法とされている。
【００４１】
また、本実施形態では、天壁４８を、他方の側壁４７の上端に一連状に設けている。この天壁４８は、他方の側壁４７の上端から一方の側壁４６側に突出するように、かつ厚さ方向を上下方向に沿わせるように設けられている。
また、本実施形態では、この天壁４８を、当該可動レール４０の全長に亘って設けずに、前端壁４５から後端側の途中部位に至るまで設けた構成としている。図例では、天壁４８を、その後端が、当該可動レール４０の後端側部位の両側に設けられたローラー４９，４９の手前側近傍に位置するように設けた構成としている。このような構成とすれば、ローラー４９，４９を組み付ける際における作業性を向上させることができる。
この天壁４８は、その後端が、当該可動レール４０が最前方位置とされた状態で、固定レール３１若しくは箱体２の前端と前後方向で概ね同じ位置となるように、または固定レール３１若しくは箱体２の前端よりも後方側に位置するように、設けるようにしてもよい。なお、このような態様に代えて、天壁４８を、可動レール４０の全長に亘って設けるようにしてもよい。
【００４２】
上記のような構成により、上下の回転機構部３０，２０は、可動レール４０，２３を固定レール３１，２１に沿って前後にスライドさせることで、回転軸４４，２４が前後に移動する構成とされている。つまり、回転収納体１０の回転軸４４，２４は、可動レール４０，２３を前方にスライドさせれば、前方に移動し、可動レール４０，２３を後方にスライドさせれば、後方に移動する構成とされている。また、このような構成により、枠体１１（回転収納体１０）は、可動レール４０，２３を介して箱体２から前方側にスライド自在で、かつ回転軸４４，２４廻りに可動レール４０，２３に対して回転自在とされている。これにより、回転収納体１０の回転中心となる回転軸４４，２４を前方側にスライドさせることで、箱体２の奥側面５ａとの間に回転収納体１０を回転させるための空間が形成され、この空間を利用して回転収納体１０を回転軸４４，２４廻りに回転させることができる。
【００４３】
また、上記のようなガイドアーム３８，２５を設けた構成とすることで、枠体１１（回転収納体１０）は、回転軸４４，２４廻りの回転範囲（回転動作の範囲）が規制される。これにより、回転収納体１０は、図４に示すように、箱体２に対して前後方向にスライドしながら回転軸４４，２４廻りに約１８０°の範囲で回転可能な構成とされている。また、これにより、回転収納体１０は、箱体２に収納時の姿勢を前後反転可能（１８０°反転可能）な構成とされている。つまり、当該回転収納装置１は、回転軸４４，２４を前後方向にスライドさせながら回転収納体１０を回転軸４４，２４廻りに回転させることで、回転収納体１０の前後を入れ替え（切り替え）可能としている。
なお、固定レール３１，２１に対して前方に突出した可動レール４０，２３を収納側に付勢する付勢機構を上下の回転機構部３０，２０等に設けるようにしてもよい。
また、上下の回転機構部３０，２０は、金属系材料や合成樹脂系材料等から形成されたものとしてもよい。
【００４４】
本実施形態に係る収納装置（回転収納装置）１は、上述のような構成としたことで、箱体２の奥行寸法を効率的に小さくすることが可能でありながらも、回転機構部としての上側回転機構部３０の可動レール４０への異物等の侵入を低減することができる。
つまり、被収納物を収納する収納体（回転収納体）１０を、上下方向に沿う軸４４廻りに回転自在に保持する上側回転機構部３０を前方に開口する箱体２に設けた構成としている。従って、上述のように、回転収納体１０に効率的に被収納物を収納させたり、回転収納体１０を回転させることで、被収納物を出し入れし易くしたりすることができる。
また、上側回転機構部３０を、箱体２の天面３ａに固定された固定レール３１の前後方向に延びるガイド溝３２に沿って前後方向に移動自在とされ回転収納体１０に軸４４を介して連結された可動レール４０を設けた構成としている。従って、回転収納体１０の軸４４を箱体２に対して前後方向に移動させながら回転収納体１０を回転させることができる。これにより、回転収納体１０を回転させる際に、回転収納体１０が箱体２に収納された状態よりも後方側に突出するようなことを防止することができる。つまり、箱体２に収納された状態の回転収納体１０の奥側に必要となる回転収納体１０の回転用の空間を小さくすることができ、回転収納体１０の収納部の奥行寸法を確保しながらも箱体２の奥行寸法を効率的に小さくすることができる。
【００４５】
また、可動レール４０に、固定レール３１に設けられたガイド体（ガイドローラー）３５を収容する収容溝４１を区画するように両側壁４６，４７と底壁４３と前端壁４５とを設けている。また、可動レール４０に、ガイド体３５を保持する保持部３４を受け入れるスリット状開口４２を形成するように天壁４８を設けた構成としている。従って、可動レール４０の収容溝４１に収容されるガイド体３５を目立ち難くすることができる。また、可動レール４０内への異物等の侵入を低減することができる。また、固定レール３１のガイド体３５によって可動レール４０のスライドをガイドすることができ、可動レール４０の横振れ等を抑制することができる。つまりは、固定レール３１に設けられたガイド体３５による可動レール４０のガイドが可能でありながらも、可動レール４０の収容溝４１内の露出を低減することができる。なお、ガイド体３５は、可動レール４０の横振れを抑制するものに限られず、縦振れを抑制するものとしてもよい。この場合は、上記した可動レール４０の後端側の被ガイド部としてのローラー４９，４９が可動レール４０の横振れを抑制するものとしてもよい。固定レール３１に対する可動レール４０のスライドをガイドする機構としては、その他、種々の態様とされたものとしてもよい。
【００４６】
また、本実施形態では、可動レール４０を、天壁４８の左右方向一方の端部と左右方向一方の側壁４６の上端部との間をスリット状開口４２とした構造としている。従って、例えば、左右両側の側壁４６，４７の上端部から互いに対向する方向に向けて突出させるように天壁を設け、これら両側の天壁間をスリット状開口としたものと比べて、効率的にスリット状開口４２を設けることができる。つまり、他方の側壁４７に天壁４８となる部位を延設し、当該部位を折り曲げることで天壁４８とスリット状開口４２とを形成することができる。また、スリット状開口４２が可動レール４０の一方の側壁４６に沿って設けられることとなるので、ガイド体３５への異物等の接触を効果的に抑制することができる。なお、このような態様に代えて、左右両側の側壁４６，４７の上端部から互いに対向する方向に向けて突出させるように天壁を設け、これら両側の天壁間をスリット状開口としたような態様等としてもよい。この場合は、保持部３４の挿通片部３４ａや保持片部３４ｂ等を適宜、変形するようにしてもよい。
【００４７】
また、本実施形態では、保持部３４を、左右方向に厚さ方向を沿わせ、スリット状開口４２に挿通される挿通片部３４ａを備えた構成としている。従って、例えば、保持部３４を垂直軸状のものとした場合と比べて、可動レール４０のスリット状開口４２の開口幅寸法を、効果的に小さくすることができ、可動レール４０内への異物等の侵入をより効果的に低減することができる。
また、本実施形態では、保持部３４を、固定レール３１の溝底面を構成する天壁３３に切り起こし状に設けている。従って、例えば、固定レール３１の天壁３３に付設状に保持部３４を設けたようなものと比べて、効率的に保持部３４を設けることができる。なお、このような態様に代えて、保持部３４を、天壁３３に付設状に設けるようにしてもよい。また、保持部３４を、上記のような薄板状の挿通片部３４ａと保持片部３４ｂとを備えたものとした態様に代えて、ガイド体３５を保持する軸状等とされたものとしてもよい。ガイド体３５を保持する保持部３４としては、その他、種々の態様とされたものとしてもよい。
【００４８】
また、本実施形態では、回転収納体１０を、少なくとも１８０度回転されて前後反転可能な構成とされたものとしたが、このような態様に代えて、箱体２に対して引き出されながら少なくとも９０度回転するような構成とされたもの等としてもよい。
また、箱体２は、少なくとも前方に開口したものであればよく、前後両側に開口したものでもよい。
また、回転収納装置１に収納される被収納物としては、上記した靴等の履物に限られず、衣類や傘、帽子等でもよく、このような玄関土間等において収納されるものに限られず、その他、書籍や、装飾品、食器、調味料、各種ディスク等の記録媒体等でもよい。この場合は、回転収納体１０を区画する棚板１７を適宜、変形したり、回転収納体１０に被収納物を引っ掛ける引っ掛け部材等を設けたりしてもよい。
【符号の説明】
【００４９】
１        回転収納装置（収納装置）
２        箱体
３ａ      天面
１０      回転収納体（収納体）
３０      上側回転機構部（回転機構部）
３１      固定レール
３２      ガイド溝
３３      天壁
３４      保持部
３４ａ    挿通片部
３５      ガイドローラー（ガイド体）
４０      可動レール
４１      収容溝
４２      スリット状開口
４３      底壁
４４      回転軸（上下方向に沿う軸）
４５      前端壁
４６      一方の側壁（左右方向一方の側壁）
４７      他方の側壁
４８      天壁
【図１】
0006344717.tif 000002
【図２】
0006344717.tif 000003
【図３】
0006344717.tif 000004
【図４】
0006344717.tif 000005
【図５】
0006344717.tif 000006
【図６】
0006344717.tif 000007